(57)【特許請求の範囲】
【請求項１】
安定器を介して交流電源から給電される蛍光ランプの一対の電極の非電源側端子間に接続される蛍光ランプ点灯装置において、
前記非電源側端子間に直列接続されるスイッチング素子及びダイオードと、前記スイッチング素子を開閉制御するための駆動制御回路とを具備し、前記駆動制御回路は動作開始後一旦前記スイッチング素子を閉状態にする電圧を出力し、その後前記駆動制御回路の出力を徐々に前記スイッチング素子を開状態にする電圧に近づけていき、前記スイッチング素子が不飽和状態になった時に前記スイッチング素子の両端電圧が予め定められた電圧以上に達した場合に前記駆動制御回路の出力を急速に前記スイッチング素子を開状態にする電圧に変化させるよう動作することを特徴とする蛍光ランプ点灯装置。
【請求項２】
安定器を介して交流電源から給電される蛍光ランプの一対の電極の非電源側端子間に接続される蛍光ランプ点灯装置において、
前記非電源側端子間に直列接続されるスイッチング素子及びダイオードと、前記スイッチング素子を開閉制御するための駆動制御回路とを含み、前記駆動制御回路は動作開始時に一旦コンデンサを予め定められた電圧に充電する充電手段と、前記充電動作後予め定められた割合で前記コンデンサの電荷を放電する放電手段と、前記充電期間以降に前記スイッチング素子の両端電圧が予め定められた電圧以上に達した場合に前記スイッチング素子の制御端子をＯＦＦレベルに強制的に変化させる手段とを具備し、前記スイッチング素子の制御端子には前記コンデンサの両端電圧に対応した電圧が入力されており、前記コンデンサが放電し前記スイッチング素子が閉じている期間に蛍光ランプの電極に予熱電流を流し、その後前記スイッチング素子を開いた時に前記安定器に発生するキック電圧で蛍光ランプを点灯させることを特徴とする蛍光ランプ点灯装置。
【請求項３】
安定器を介して交流電源から給電される蛍光ランプの一対の電極の非電源側端子間に接続される蛍光ランプ点灯装置において、
前記非電源側端子間に直列接続されるスイッチング素子及びダイオードと、前記スイッチング素子を開閉制御するための駆動制御回路とを含み、前記駆動制御回路は動作開始時に一旦コンデンサを予め定められた電圧に充電する充電手段と、前記コンデンサの両端電圧が予め定められた電圧に達した時に前記スイッチング素子をＯＮさせる手段と、前記コンデンサの電荷を放電する放電手段と、前記充電期間以降に前記スイッチング素子の両端電圧が予め定められた電圧以上に達した場合に前記スイッチング素子の制御端子をＯＦＦレベルに強制的に変化させる手段と、前記スイッチング素子の制御端子に前記コンデンサの両端電圧に対応した電圧を入力する手段と、動作開始後前記コンデンサの両端電圧が予め定められた電圧に達した回数が予め定められた回数に達した場合前記スイッチング素子をＯＦＦ状態に保つ手段とを有し、前記スイッチング素子が閉じている期間に蛍光ランプの電極に予熱電流を流し、その後前記スイッチング素子を開いた時に前記安定器に発生するキック電圧で蛍光ランプを点灯させることを特徴とする蛍光ランプ点灯装置。
【請求項４】
請求項２又は３記載の蛍光ランプ点灯装置において、前記充電期間以降に前記スイッチング素子の両端電圧が達する予め定められた電圧は、前記スイッチング素子が閉状態の時の前記スイッチング素子の両端電圧よりも高く、蛍光ランプ点灯後に前記スイッチング素子にかかる電圧よりも低いことを特徴とする蛍光ランプ点灯装置。
【請求項５】
請求項２，３又は４記載の蛍光ランプ点灯装置において、前記コンデンサが予め定められた電圧に充電された後、予め定められた割合で前記コンデンサの電荷が放電される過程で、前記スイッチング素子の動作領域が飽和領域から不飽和領域に移行することを特徴とする蛍光ランプ点灯装置。
【発明の詳細な説明】
【０００１】
【発明の属する技術分野】
本発明は蛍光ランプ点灯装置に係り、特に半導体スイッチ素子を用いた蛍光ランプ点灯装置に関するものである。
【０００２】
【従来の技術】
半導体スイッチ素子を用いた蛍光ランプ点灯装置の従来例としては、特開昭５９−１３４５９５号公報に記載された蛍光ランプ点灯装置が挙げられる。この従来技術によれば交流電源の周波数が一定であれば、大きなエネルギーを有する始動パルスを安定して発生させることができるため放電灯の始動を早め、また確実に点灯できる。
【０００３】
【発明が解決しようとする課題】
しかし、上記従来技術は構成する部品点数が多く大きなコストがかかってしまう。また動作原理上、予熱電流がゼロの時点（θ3）から遮断される時点（θ4）までの時間が一定であるため、予熱電流が遮断される位相は電源の周波数によって変化する。そのため予熱電流が遮断される瞬間の予熱電流値が電源の周波数によって変化するため発生する高圧パルスのエネルギーも変化してしまう。
【０００４】
本発明は、このような従来技術の問題点に鑑み、電源の周波数が変化しても安定して高い始動パルスを発生させることができる低コストな蛍光ランプ点灯装置を提供することを目的とする。
【０００５】
【課題を解決するための手段】
上記問題点を解決するため本発明では、蛍光ランプの電極の非電源側端子間にスイッチング素子とダイオードとを直列接続し、スイッチング素子を開閉制御するための駆動制御回路とを具備し、駆動制御回路は動作開始後一旦前記スイッチング素子を閉状態にする電圧を出力し、その後駆動制御回路の出力を徐々にスイッチング素子を開状態にする電圧に近づけていき、スイッチング素子が不飽和状態になった時にスイッチング素子に発生する電圧を検出して駆動制御回路の出力を急速に前記スイッチング素子を開状態にする電圧に変化させるよう動作する構成とした。
【０００６】
スイッチング素子が不飽和状態にあるときのスイッチング素子の両端に発生する電圧は予熱電流波形と同位相であるため、このときにスイッチング素子に発生する電圧をある適当なレベルで検出して駆動制御回路の出力を急速にスイッチング素子を開状態にする電圧に変化させることによって、電源の周波数が変化しても常に一定値以上の予熱電流が流れている瞬間に予熱電流が遮断されるため、安定して高い始動パルスを発生させることができる。
【０００７】
すなわち、本発明による蛍光ランプ点灯装置は、蛍光ランプの電極の非電源側端子間に接続される蛍光ランプ点灯装置において、非電源側端子間に直列接続されるスイッチング素子及びダイオードと、スイッチング素子を開閉制御するための駆動制御回路とを具備し、駆動制御回路は動作開始後一旦スイッチング素子を閉状態にする電圧を出力し、その後駆動制御回路の出力を徐々にスイッチング素子を開状態にする電圧に近づけていき、スイッチング素子が不飽和状態になった時にスイッチング素子に発生する電圧が予め定められた電圧以上に達した場合に駆動制御回路の出力を急速にスイッチング素子を開状態にする電圧に変化させるよう動作することを特徴とする。上記の予め定められた電圧はスイッチング素子が閉状態の時のスイッチング素子の両端電圧よりも高く、蛍光ランプ点灯後にスイッチング素子にかかる電圧よりも低い。
【０００８】
図１は、この蛍光ランプ点灯装置のブロック図である。蛍光ランプ３０は安定器３１を介して交流電源３２に接続される。蛍光ランプ点灯装置４０は、蛍光ランプ３０の電極の非電源側端子間に接続されるもので、非電源側端子間に直列接続されるスイッチング素子４１及びダイオード４２と、スイッチング素子４１を開閉制御するための駆動制御回路４３とを具備する。
【０００９】
駆動制御回路４３は、動作開始後一旦スイッチング素子を閉状態にする電圧を出力する手段４４と、その後駆動制御回路の出力を徐々にスイッチング素子を開状態にする電圧に近づけていく手段４５と、スイッチング素子の両端電圧を検出する手段４６と、スイッチング素子４１が不飽和状態になった時に手段４６で検出される電圧が予め定められた電圧以上に達した場合に駆動制御回路の出力を急速にスイッチング素子を開状態にする電圧に変化させる手段４７とを備える。図中、破線の矢印は手段間の動作の時間関係を示し、手段４４が一旦スイッチング素子を閉状態にする電圧を出力した後に、手段４５が徐々にスイッチング素子を開状態にする電圧を出力するとともに、手段４６はスイッチング素子の両端電圧を検知する動作を開始する。手段４６がスイッチング素子の両端電圧が予め定められた電圧値に達したことを検知すると、手段４７は強制的にスイッチング素子をＯＦＦさせるように動作する。また、スイッチング素子の両端電圧を検出する手段４６は、文字通り電圧を検出してそれに応じて出力状態が変化するようなものでもよいが、スイッチング素子４１の両端電圧が所定値になったときそれをトリガーとして手段４７を動作させる機能を有していればどの様なものであっても構わない。
【００１０】
図２は、図１のブロック図に示した蛍光ランプ点灯装置をより具体化した蛍光ランプ点灯装置の例を示すブロック図である。この蛍光ランプ点灯装置５０は、安定器３１を介して交流電源３２から給電される蛍光ランプ３０の一対の電極の非電源側端子間に接続されるもので、蛍光ランプ３０の非電源側端子間に直列接続されるスイッチング素子４１及びダイオード４２と、スイッチング素子４１を開閉制御するための駆動制御回路５３とを備える。
【００１１】
駆動制御回路５３は、動作開始時に一旦コンデンサ５１を予め定められた電圧に充電する充電手段５４と、充電動作後予め定められた割合でコンデンサの電荷を放電する放電手段５５と、充電期間以降にスイッチング素子４１の両端電圧が予め定められた電圧以上に達した場合（手段５６で検出）にスイッチング素子４１の制御端子をＯＦＦレベルに強制的に変化させる手段５７とを具備し、スイッチング素子４１の制御端子にはコンデンサの両端電圧に対応した電圧が入力されており、スイッチング素子４１が閉じている期間に蛍光ランプ３０の電極に予熱電流を流し、その後スイッチング素子４１を開いた時に安定器３１に発生するキック電圧で蛍光ランプ３０を点灯させる。
【００１２】
図３は、図１のブロック図に示した蛍光ランプ点灯装置をより具体化した蛍光ランプ点灯装置の他の例を示すブロック図である。この蛍光ランプ点灯装置６０は、安定器３１を介して交流電源３２から給電される蛍光ランプ３０の一対の電極の非電源側端子間に接続されるもので、蛍光ランプ３０の非電源側端子間に直列接続されるスイッチング素子４１及びダイオード４２と、スイッチング素子４１を開閉制御するための駆動制御回路６３とを備える。
【００１３】
駆動制御回路６３は、動作開始時に一旦コンデンサ６１を予め定められた電圧に充電する充電手段６４と、コンデンサ６１の両端電圧が予め定められた電圧に達した時にスイッチング素子４１をＯＮさせる手段と、コンデンサ６１の電荷を放電する放電手段６５と、充電期間以降にスイッチング素子４１の両端電圧が予め定められた電圧以上に達した場合（手段６６で検出）にスイッチング素子４１の制御端子をＯＦＦレベルに強制的に変化させる手段６７と、スイッチング素子４１の制御端子にコンデンサ６１の両端電圧に対応した電圧を入力する手段と、動作開始後コンデンサ６１の両端電圧が予め定められた電圧に達した回数が予め定められた回数に達した場合スイッチング素子をＯＦＦ状態に保つ手段６８，６９とを有し、スイッチング素子４１が閉じている期間に蛍光ランプ３０の電極に予熱電流を流し、その後スイッチング素子４１を開いた時に安定器３１に発生するキック電圧で蛍光ランプ３０を点灯させる。
【００１４】
前述の充電期間以降にスイッチング素子の両端電圧が達する予め定められた電圧は、スイッチング素子が閉状態の時のスイッチング素子の両端電圧よりも高く、蛍光ランプ点灯後にスイッチング素子にかかる電圧よりも低い。
【００１５】
充電手段５４，６４は、スイッチング素子４１の両端間に接続された抵抗とダイオードとツエナーダイオードとコンデンサとの直列回路と、動作開始直後からコンデンサ５１，６１が予め定められた電圧に充電されるまでの期間スイッチング素子４１の制御端子をＯＦＦレベルに強制的に維持しておく手段とから構成することができる。
【００１６】
本発明の蛍光ランプ点灯装置は、コンデンサ５１，６１が予め定められた電圧に充電された後、予め定められた割合でコンデンサの電荷が放電される過程で、スイッチング素子４１の動作領域が飽和領域から不飽和領域に移行する。
【００１７】
【発明の実施の形態】
以下、図面を参照して本発明の実施の形態を説明する。
図４は、本発明による蛍光ランプ点灯装置の一例を示す回路図である。図４において１は交流電源、２は安定器、３は蛍光ランプ、４はスイッチングトランジスタ、５はダイオード、６はコンデンサ、７，１２，１３，１４，１７〜２０は抵抗、８及び９はダイオード、１０，２１，２２はツェナーダイオード、１１及び１６はトランジスタ、１５はコンデンサを示す。
【００１８】
図５の動作説明図を用いて、図４に示した蛍光ランプ点灯装置の動作を説明する。図５において、（ａ）はスイッチングトランジスタ４の両端電圧波形、（ｂ）はスイッチングトランジスタ４の電流波形、（ｃ）はコンデンサ６の両端電圧波形、（ｄ）はスイッチングトランジスタ４のゲートーソース間電圧波形、（ｅ）はトランジスタ１１の動作状態図、（ｆ）はトランジスタ１６の動作状態図を示す。
【００１９】
（ｔ０〜ｔ１の期間）
まず図５に示すｔ０の時点に交流電源１から交流電圧が供給され始める。交流電源１の電源電圧が負の半サイクルの時、ダイオード５は逆バイアスされスイッチングトランジスタ４の両端には電圧は現れない。一方、交流電源１の電源電圧が正の半サイクルになるとダイオード５は順バイアスとなり、図５（ａ）に示すようにスイッチングトランジスタ４の両端電圧波形は交流電源１の電圧を半波整流した電圧にほぼ等しい電圧波形を示す。また、この時スイッチングトランジスタ４はＯＦＦ状態なので、図５（ｂ）に示すようにスイッチングトランジスタ４には電流は流れない。
【００２０】
ｔ０〜ｔ１の期間においてスイッチングトランジスタ４の両端電圧がツェナーダイオード２２のツェナー電圧Ｖ１以上になるとコンデンサ６に交流電源１から安定器２、抵抗７、ダイオード８、ツェナーダイオード２２を介して電流が流れてコンデンサ６を充電し、図５（ｃ）に示すコンデンサ６の両端電圧波形のように電圧が徐々に上昇する。ｔ０〜ｔ１の期間はコンデンサ６の両端電圧がツェナーダイオード１０の電圧よりも低いためツェナーダイオード１０には電流が流れず、トランジスタ１１は図５（ｅ）に示すようにＯＦＦ状態にある。そのためツェナーダイオード２１の漏れ電流が交流電源１から安定器２、抵抗７、ダイオード９、ツェナーダイオード２１、抵抗１３及び１４を介してトランジスタ１６のベースに流れ、トランジスタ１６は図５（ｆ）に示すようにＯＮする。抵抗１７と１８の分圧比をスイッチングトランジスタ４がＯＮしない分圧比に設定しておくことによりスイッチングトランジスタ４はＯＦＦ状態を保つ。そのため図５（ｂ）のスイッチングトランジスタ４の電流波形のようにスイッチングトランジスタ４には電流が流れない。
【００２１】
（ｔ１〜ｔ２の期間）
スイッチングトランジスタ４の両端電圧はツェナーダイオード１０及び２２のツェナー電圧の合計電圧よりも高いため、図５（ｃ）ｔ１の時点になると、コンデンサ６の両端電圧がツェナーダイオード１０の電圧Ｖ２に達し、ツェナーダイオード１０を介してトランジスタ１１にベース電流が流れトランジスタ１１が図５（ｅ）に示すようにＯＮする。そのためトランジスタ１６が図５（ｆ）に示すようにＯＦＦし、図５（ｄ）のスイッチングトランジスタ４のゲートーソース間電圧波形に示すようにコンデンサ６の両端電圧を抵抗１７と２０で分圧された電圧がスイッチングトランジスタ４のゲートに入力される。抵抗１７と２０の分圧比をスイッチングトランジスタ４がＯＮするために必要な分圧比に設定しておくことによりスイッチングトランジスタ４がＯＮし、図５（ｂ）に示すように交流電源１から安定器２、蛍光ランプ３のフィラメント、スイッチングトランジスタ４、ダイオード５、蛍光ランプ３のもう一方のフィラメントというパスで予熱電流が流れ蛍光ランプ３の両フィラメントを予熱する。
【００２２】
ｔ１〜ｔ２の期間ではスイッチングトランジスタ４のゲートには十分大きな電圧が入力されるためスイッチングトランジスタ４は飽和領域で動作し、ＯＮ抵抗が小さい状態にあるため、図５（ａ）に示すようにスイッチングトランジスタ４の両端電圧はツェナーダイオード２２の電圧Ｖ１よりも低くなってコンデンサ６にはそれ以上充電電流は流れず、コンデンサ６に充電されていた電荷は抵抗１７及び２０を通して放電する。したがってコンデンサ６の両端電圧は徐々に低下していき、図５（ｄ）に示すようにスイッチングトランジスタ４のゲート−ソース間電圧が低下する。またコンデンサ６の両端電圧が低下し始めるとすぐにツェナーダイオード１０はカットオフするためトランジスタ１１が図５（ｅ）に示すようにすぐにＯＦＦする。
【００２３】
（ｔ２〜ｔ３の期間）
ｔ２〜ｔ３期間になりスイッチングトランジスタ４のゲート−ソース間電圧がある程度以上低下するとスイッチングトランジスタ４は不飽和領域で動作するようになり、ＯＮ抵抗が急激に増加するため図５（ａ）に示すようにスイッチングトランジスタ４の両端電圧が急激に上昇する。またスイッチングトランジスタ４の電流は、スイッチングトランジスタ４のＯＮ抵抗が上昇しても安定器２のインピーダンスの方が支配的なため若干低下する程度にとどまる。
【００２４】
ｔ３の時点ではスイッチングトランジスタ４の両端電圧がツェナーダイオード２１のツェナー電圧より高くなり抵抗１３，１４を通してトランジスタ１６のベースに電流が供給され、図５（ｆ）に示すようにトランジスタ１６が急激にＯＮする。そのため図５（ｄ）に示すようにスイッチングトランジスタ４のゲート−ソース間電圧が急激に小さくなりスイッチングトランジスタ４が急激にＯＦＦする。すると図５（ｂ）に示すようにスイッチングトランジスタ４を流れていた電流すなわち予熱電流が急激に遮断され、安定器２のインダクタンスの作用により図５（ａ）に示すように高電圧のパルスが発生し蛍光ランプ３が点灯する。
【００２５】
スイッチングトランジスタ４の両端電圧が大きくなる時には必ず大きな予熱電流が流れているので、この方法によれば確実に大きな予熱電流が流れている瞬間にスイッチングトランジスタ４を急激に遮断することになるため、高い電圧のパルスが確実に得られる。そのため蛍光ランプ３を確実に点灯させることができる。
【００２６】
（ｔ３以降）
蛍光ランプ３点灯後すなわちｔ３以降は、スイッチングトランジスタ４の両端電圧は図５（ａ）に示すように蛍光ランプ３の点灯電圧を半波整流した電圧波形にほぼ等しくなる。ツェナーダイオード２１及び２２はスイッチングトランジスタ４の両端電圧よりも低く、且つツェナーダイオード２２と１０の電圧の合計をスイッチングトランジスタ４の両端電圧よりも高く設定しておくことにより、ツェナーダイオード２１には電流が流れ、且つツェナーダイオード１０には電流が流れないため、トランジスタ１６のＯＮ状態が保たれ、スイッチングトランジスタ４のＯＦＦ状態を保持することができるため、点灯装置の不必要な再動作がなくなる。
【００２７】
ツェナーダイオード２１のツェナー電圧は、ｔ３以降にスイッチングトランジスタ４をＯＦＦ状態に保っておくためスイッチングトランジスタ４の両端にかかる電圧値よりも低く、且つｔ１〜ｔ２の期間にスイッチングトランジスタ４の両端にかかる電圧値よりも高い値に設定する。
【００２８】
図６は、本発明による蛍光ランプ点灯装置の他の例を示す回路図である。図６において、２３はコンデンサ、２４は抵抗を示す。その他、図４と同一符号の部分は図４と同一もしくは同等の部分を示す。
【００２９】
図７は、図６に示した蛍光ランプ点灯装置の動作説明図である。図７において、（ａ）はスイッチングトランジスタ４の両端電圧波形、（ｂ）はスイッチングトランジスタ４の電流波形、（ｃ）はコンデンサ６の両端電圧波形、（ｄ）はスイッチングトランジスタ４のゲートーソース間電圧波形、（ｅ）はトランジスタ１１の動作状態図、（ｆ）はトランジスタ１６の動作状態図を示す。Ｖ１はツェナーダイオード２２のツェナー電圧、Ｖ２はツェナーダイオード１０のツェナー電圧である。
【００３０】
図６の回路の動作は、図４の回路の動作と基本的には同様である。ｔ１の時点に短時間トランジスタ１１がＯＮして、それまでトランジスタ１６のベース側に流れていた電流をトランジスタ１１のコレクタ側に引き込んでトランジスタ１６をＯＦＦ状態にさせ、前記したようにスイッチングトランジスタ４をＯＮさせるように動作する点は図４の回路の動作と同じである。図６の回路の動作と図４の回路の動作との相違点は、ｔ１の時点に短時間トランジスタ１１がＯＮした瞬間に、図６の回路におけるコンデンサ２３が交流電源１から安定器２、蛍光ランプ３のフィラメント、抵抗７、ダイオード９、ツェナーダイオード２１、抵抗１３、コンデンサ２３のパスで電流が流れて充電される点である。
【００３１】
ここで、図５のｔ３の時点に発生したキック電圧で蛍光ランプ３が点灯しなかった場合を例に図６の回路の動作を、図７の動作説明図を用いて説明する。図７においてｔ０〜ｔ３までは図５と同様の波形を示す。ｔ３の時点に発生したキック電圧で蛍光ランプ３が点灯しなかった場合、ｔ３以降にスイッチングトランジスタ４の両端にかかる電圧は図７（ａ）に示すように交流電源１の電圧波形を半波整流した電圧波形になり、ツェナーダイオード１０と２２のツェナー電圧の合計を超えるためｔ４の時点にコンデンサ６はツェナーダイオード１０のツェナー電圧まで充電され、その結果トランジスタ１１がＯＮしてそれまでトランジスタ１６のベース側に流れていた電流をトランジスタ１１のコレクタ側に引き込んでトランジスタ１６をＯＦＦ状態にさせ前記したようにスイッチングトランジスタ４をＯＮさせるように動作する。すなわちｔ０〜ｔ３の動作を再度繰り返すことになる。図４の回路では蛍光ランプ３が故障していて点灯しない場合、交流電源１が入力されている間はｔ０〜ｔ３の動作を繰り返すことになる。ｔ０〜ｔ３の動作を繰り返している間スイッチングトランジスタ４の温度が徐々に上昇し最終的に破壊に至る場合がある。
【００３２】
図６の回路では、ｔ０〜ｔ３の動作を繰り返す度にトランジスタ１１がＯＮした瞬間にコンデンサ２３が充電されるため、コンデンサ２３の両端電圧が上昇する。コンデンサ２３の両端電圧が上昇していくとトランジスタ１１がＯＮしたときにトランジスタ１１のコレクタに流れる電流が減少していくため、図７のｔ５に示すように最終的にはトランジスタ１１がＯＮしてもトランジスタ１６はＯＮ状態を保つことになる。トランジスタ１６がＯＮ状態を保つと、スイッチングトランジスタ４はＯＦＦ状態を保つことになる。したがってｔ５以降は、図７（ａ）に示すようにスイッチングトランジスタ４の両端電圧は交流電源１を半波整流した電圧波形となり、図７（ｂ）に示すようにスイッチングトランジスタ４には電流が流れない。また、図７（ｃ）に示すようにコンデンサ６の両端電圧はＶ２の電圧を保ち、図７（ｄ）に示すようにスイッチングトランジスタ４のゲート−ソース間電圧波形は図７（ｅ）に示すようにトランジスタ１６がＯＮを保つためスイッチングトランジスタ４のＯＦＦレベルの電圧となる。以上によりｔ０〜ｔ３の繰り返し動作が停止し、スイッチングトランジスタ４の温度はそれ以上上昇しなくなるため故障することを防止できる。
【００３３】
図６において抵抗２４はコンデンサ２３に蓄積された電荷を放電するための抵抗で、交流電源１を一旦切った後や放電灯３が点灯したした場合に速やかにコンデンサ２３に蓄積された電荷を放電し次の動作に備えるためのものである。
【００３４】
【発明の効果】
以上述べたように本発明によれば、低コストで確実に蛍光ランプを始動させることのできる点灯装置を実現することができる。
【図面の簡単な説明】
【図１】本発明による蛍光ランプ点灯装置の一例のブロック図。
【図２】図１のブロック図に示した蛍光ランプ点灯装置をより具体化した蛍光ランプ点灯装置の例を示すブロック図。
【図３】図１のブロック図に示した蛍光ランプ点灯装置をより具体化した蛍光ランプ点灯装置の他の例を示すブロック図
【図４】本発明による蛍光ランプ点灯装置の一例を示す回路図。
【図５】図４に示した回路の動作を説明する動作波形図。
【図６】本発明による蛍光ランプ点灯装置の他の例を示す回路図。
【図７】図６に示した回路の動作を説明する動作波形図。
【符号の説明】
１…交流電源、２…安定器、３…蛍光ランプ、４…スイッチングトランジスタ、５…ダイオード、６…コンデンサ、１０，２１，２２…ツェナーダイオード、１１，１６…トランジスタ、３０…蛍光ランプ、３１…安定器、３２…交流電源、４１…スイッチング素子、４２…ダイオード、４３，５３，６３…駆動制御回路
【図１】
0003959923.tif 000002
【図２】
0003959923.tif 000003
【図３】
0003959923.tif 000004
【図４】
0003959923.tif 000005
【図５】
0003959923.tif 000006
【図６】
0003959923.tif 000007
【図７】
0003959923.tif 000008